(57)【特許請求の範囲】
【請求項１】
表示手段と、
複数の商品の外観をそれぞれ表わす複数の商品画像を記憶した記憶手段と、
前記記憶手段内の複数の商品画像のうち、広告する商品に対応する商品画像を抽出し、抽出した商品画像を前記表示手段の表示画面上に縦横に配列して表示し、その配列中のいくつかの商品画像の表示色または表示濃度を同配列中の残りの商品画像と異ならせて前記広告する商品に関する宣伝用の表示パターンを形成する制御手段と、
を備えることを特徴とする画像表示装置。
【請求項２】
前記記憶手段は、前記商品に関する案内文字を記憶している、
前記制御手段は、前記表示手段の表示画面上の予め定めた位置または一定時間ごとに異なる位置に、前記記憶手段内の案内文字を表示する、
ことを特徴とする請求項１に記載の画像表示装置。
【請求項３】
前記制御手段は、前記ディスプレイの表示画面上の予め定めた位置または一定時間ごとに異なる位置に、かつ前記配列中の各商品画像のうち前記表示パターンの表示対象となる商品画像が透過する状態に、前記記憶手段内の案内文字を表示する、
ことを特徴とする請求項２に記載の画像表示装置。
【請求項４】
表示手段、複数の商品の外観をそれぞれ表わす複数の商品画像を記憶した記憶手段およびコンピュータを含む画像表示装置において、
前記コンピュータに、
前記記憶手段内の各商品画像のうち、広告する商品に対応する商品画像を抽出し、抽出した商品画像を前記表示手段の表示画面上に縦横に配列して表示し、その配列中のいくつかの商品画像の表示色または表示濃度を同配列中の残りの商品画像と異ならせて前記商品に関する宣伝用の表示パターンを形成する制御機能、
を実現させることを特徴とするプログラム。
【請求項５】
画像表示装置およびサーバを含む画像表示システムであって、
複数の商品の外観をそれぞれ表わす複数の商品画像を記憶する記憶手段と、
前記記憶手段内に記憶した複数の商品画像のうち、広告する商品に対応する商品画像を抽出し、抽出した商品画像を前記画像表示装置の表示画面上に縦横に配列して表示し、その配列中のいくつかの商品画像の表示色または表示濃度を同配列中の残りの商品画像と異ならせて前記広告する商品に関する宣伝用の表示パターンを形成する制御手段と、
を備え、前記各手段の少なくとも１つの手段を前記サーバが含み、そのサーバが含む手段を除く残りの手段を前記画像表示装置が含むことを特徴とする画像表示システム。
【発明の詳細な説明】
【技術分野】
【０００１】
本発明の実施形態は、商品の広告用の画像を表示する画像表示装置とそのプログラムおよび画像表示システムに関する。
【背景技術】
【０００２】
複数の画像を組み合わせて商品の広告用の画像いわゆるモザイク画像を生成し、それをディスプレイやプロジェクタで表示して公衆に知らせるディジタル・サイネージ（Digital Signage）が知られている。
【先行技術文献】
【特許文献】
【０００３】
【特許文献１】特開２００５−１００１２０号公報
【発明の概要】
【発明が解決しようとする課題】
【０００４】
上記のような広告用のモザイク画像を生成して表示する場合、広告としての視認性、面白さ、注目度をどのように高めるかが大きな課題となる。
【０００５】
本発明の実施形態の目的は、広告用の画像を高い視認性、面白さ、注目度をもって表示することができ、ディジタル・サイネージとしての高い広告効果が得られる画像表示装置とそのプログラムおよび画像表示システムを提供することである。
【課題を解決するための手段】
【０００６】
本発明の実施形態の画像表示装置は、表示手段と、複数の商品の外観をそれぞれ表わす複数の商品画像を記憶した記憶手段と、この記憶手段内の複数の商品画像のうち、広告する商品に対応する商品画像を抽出し、抽出した商品画像を前記表示手段の表示画面上に縦横に配列して表示し、その配列中のいくつかの商品画像の表示色または表示濃度を同配列中の残りの商品画像と異ならせて前記広告する商品に関する宣伝用の表示パターンを形成する制御手段と、を備える。
【図面の簡単な説明】
【０００７】
【図１】一実施形態の構成を示すブロック図。
【図２】一実施形態における商品画像の一例を示す図。
【図３】一実施形態の制御を示すフローチャート。
【図４】一実施形態におけるディスプレイの表示を示す図。
【図５】一実施形態におけるディスプレイの表示の変化を示す図。
【図６】一実施形態におけるディスプレイの表示のさらなる変化を示す図。
【図７】一実施形態の変形例を示す図。
【発明を実施するための形態】
【０００８】
［１］以下、一実施形態について図面を参照して説明する。  
図１に示すように、制御部１に、データ記憶用のハードディスクドライブ（記憶手段）２、プログラムデータ記憶用のＲＯＭ３、データ記憶用のＲＡＭ４、データ入力部５、操作部６、および表示手段たとえばディスプレイ７が接続される。この接続により、広告用のモザイク画像を生成してそれを公衆に知らせるディジタル・サイネージ（Digital Signage）用の画像表示装置が構成される。制御部１、ハードディスクドライブ２、ＲＯＭ３、ＲＡＭ４、データ入力部５、および操作部６は、コンピュータにより構成される。
【０００９】
ハードディスクドライブ２は、複数の商品の特徴を表わす商品画像データＤ１，Ｄ２，…Ｄｎを商品画像データ領域２ａに記憶し、複数の商品に関する宣伝用の表示パターンを形成するための表示条件データＨ１，Ｈ２，…Ｈｎを表示条件データ領域２ｂに記憶し、複数の商品に関する案内文字データ（テキストデータともいう）Ｍ１，Ｍ２，…Ｍｎを案内文字データ領域２ｃに記憶している。これらデータは、予めデータ入力部５から入力される。
【００１０】
商品画像データＤ１は、図２に示す靴のカラー画像データである。商品画像データＤ２はノートパソコンのカラー画像データ、商品画像データＤ３はスマートフォンのカラー画像データ、商品画像データＤｎは本のカラー画像データである。
【００１１】
ディスプレイ７は、例えば１００インチの大きさを有する大型のもので、建物の壁面や車両の荷台などに設置される。
【００１２】
制御部１は、ＲＯＭ３内のプログラムに基づく主要な機能として、次の（１）〜（４）の手段を有する。  
（１）ハードディスクドライブ２内の商品画像データＤ１，Ｄ２，…Ｄｎ、表示条件データＨ１，Ｈ２，…Ｈｎ、案内文字データＭ１，Ｍ２，…Ｍｎのうち、広告する１つの商品に対応する商品画像データ、表示条件データ、案内文字データを抽出する第１制御手段。
【００１３】
（２）上記抽出した商品画像データをディスプレイ７の表示画面上に縦横に配列して表示する第２制御手段。
【００１４】
（３）上記配列中のいくつかの商品画像データの表示色または表示濃度を、上記抽出した表示条件データに基づき、同配列中の残りの商品画像データと異ならせて上記広告する商品に関する宣伝用の表示パターンを形成する第３制御手段。宣伝用の表示パターンとして、商品の名称・ロゴ・略称・俗称、商品を製造または販売する会社の名称・ロゴ・略称・俗称など、種々が考えられる。
【００１５】
（４）ディスプレイ７の表示画面上の予め定めた位置または一定時間ごとに異なる位置に、かつ上記配列中の各商品画像のうち上記表示パターンの表示対象となる商品画像が透過する状態に、上記抽出した案内文字を表示する第４制御手段。
【００１６】
つぎに、図３のフローチャートを参照しながら制御について説明する。  
まず、広告カウント値Ｎを零クリアしてから（ステップ１０１）、その広告カウント値Ｎを“１”アップする（ステップ１０２）。そして、この広告カウント値Ｎ（＝１）に対応する１番目の広告に対応する商品画像データ、表示条件データ、案内文字データを抽出する（ステップ１０３）。１番目の広告が例えば靴であれば、図１のハードディスクドライブ２内に点線で示すように、靴という商品に関して紐づけられた商品画像データＤ１、表示条件データＨ２、案内文字データＭ２，Ｍ３を抽出する。
【００１７】
そして、図４に示すように、抽出した商品画像データＤ１をディスプレイ７の表示画面上に縦横に配列して表示するとともに（ステップ１０４）、その配列中のいくつかの商品画像データＤ１の表示色または表示濃度を、上記抽出した表示条件データＨ２に基づき、同配列中の残りの商品画像データと異ならせて上記靴に関する宣伝用の表示パターンを形成する（ステップ１０５）。具体的には、広告商品である靴の製造会社または販売会社の略称“ＣＴＥ”という文字の表示パターンに対応する位置の数個の商品画像データＤ１を本来のカラーのまま表示し、その表示パターン“ＣＴＥ”用の商品画像データＤ１を除く残りの商品画像データＤ１については、本来のカラーのまま表示せず、表示色の数が少なくてしかも表示濃度が薄い商品画像データＤ１ｘに変換して表示する。これら商品画像データＤ１ｘの表示が商品画像データＤ１による表示パターン“ＣＴＥ”の背景となり、表示パターン“ＣＴＥ”が視認性よく浮き上がる。
【００１８】
これら商品画像データＤ１，Ｄ１ｘからなるモザイク画像を表示したディスプレイ７の表示画面には、さらに、上記抽出した案内文字データＭ２，Ｍ３を表示する（ステップ１０６）。案内文字データＭ２は“春の新商品”という文字画像であり、案内文字データＭ３は“申込受付中”という文字画像である。とくに、案内文字データＭ２，Ｍ３は、図５および図６に示すように、一定時間ごとに異なる位置に浮遊して動く状態に表示する。また、この案内文字データＭ２，Ｍ３の表示位置が図６のように表示パターン“ＣＴＥ”用の商品画像データＤ１の表示と重なる場合は、その表示パターン“ＣＴＥ”用の商品画像データＤ１の表示が案内文字データＭ２，Ｍ３の表示を透過して浮き上がる。
【００１９】
ディスプレイ７を見る人は、多数の商品画像データＤ１，Ｄ１ｘが配列されているので、広告商品が靴であることをその形状と共に高い視認性、面白さ、注目度をもって認識することができる。靴の色については、表示パターン“ＣＴＥ”用の商品画像データＤ１の表示色から、同様に高い視認性、面白さ、注目度をもって認識することができる。この靴の製造会社または販売会社を、商品画像データＤ１による表示パターン“ＣＴＥ”から、同様に高い視認性、面白さ、注目度をもって認識することができる。この靴が春の新商品で申込受付中であることも、“春の新商品”および“申込受付中”の文字画像表示から、同様に高い視認性、面白さ、注目度をもって認識することができる。したがって、ディジタル・サイネージとしての高い広告効果が得られる。
【００２０】
この商品画像データＤ１，Ｄ１ｘおよび案内文字データＭ２，Ｍ３の表示に伴い、タイムカウントｔを行い（ステップ１０７）、そのタイムカウントｔと設定時間ｔ１とを比較する（ステップ１０８）。設定時間ｔ１は、商品ごとに定めた広告実施時間である。
【００２１】
タイムカウントｔが設定時間ｔ１に達しないうちは（ステップ１０８のＮＯ）、上記ステップ１０４〜１０７の処理を繰り返す。タイムカウントｔが設定時間ｔ１に達すると（ステップ１０８のＹＥＳ）、靴の広告は終了であるとして、広告カウント値Ｎが最大値Ｎｍａｘに達しているかどうかを判定する（ステップ１０９）。
【００２２】
広告カウント値Ｎが最大値Ｎｍａｘに達していなければ（ステップ１０９のＮＯ）、広告カウント値Ｎを“１”アップする（ステップ１０２）。そして、この広告カウント値Ｎ（＝２）に対応する２番目の広告に対応する商品画像データ、表示条件データ、案内文字データを抽出する（ステップ１０３）。以後、同様の処理を行う。
【００２３】
広告カウント値Ｎが最大値Ｎｍａｘに達すると（ステップ１０９のＮＯ）、予め登録されている総ての商品についての広告が終了したとの判断の下に、広告カウント値Ｎを零クリアし（ステップ１０１）、１番目からの広告を繰り返す。
【００２４】
なお、上記実施形態では、表示手段として大型のディスプレイ７を用いたが、それに限らず、商店に設置されるＰＯＳ端末のディスプレイ、映像表示用のプロジェクタなどを用いてもよい。ＰＯＳ端末のディスプレイを表示手段として用いる場合、ＰＯＳ端末が当該画像表示装置を含む構成となる。
【００２５】
表示パターン“ＣＴＥ”を商品画像データＤ１で形成し、背景画像を商品画像データＤ１ｘで形成したが、逆に、表示パターン“ＣＴＥ”を商品画像データＤ１ｘで形成し、背景画像を商品画像データＤ１で形成することも可能である。
【００２６】
“春の新商品”および“申込受付中”の文字画像を一定時間ごとに異なる位置に表示したが、予め定めた位置に固定的に表示してもよいし、点滅する状態あるいは表示色が逐次に変化する状態に表示してもよい。１つの商品に関して“春の新商品”および“申込受付中”という２つの文字画像を表示したが、表示する文字画像の個数および内容については種々変形が可能である。
【００２７】
また、当該画像表示装置の機能や構成の一部をサーバに設けることも可能である。このシステムを構築する場合、例えばクラウドコンピューティングを利用できる。より具体的には、ＳａａＳ（software as a service）と称されるソフトウェア提供形態が適する。このクラウドシステムを利用する場合の構成を図７に示す。画像表示システム２００は、クラウド２０１、複数の端末２０２および複数の通信ネットワーク２０３、および互いに通信接続された複数のサーバ２０４を有する。これら端末２０２、通信ネットワーク２０３、およびサーバ２０４は、それぞれ１つのみでもよい。端末２０２は、通信ネットワーク２０３を介してクラウド２０１と通信可能である。端末２０２としては、当該画像表示装置、デスクトップタイプやノートブックタイプなどの種々のコンピュータ、携帯電話装置、携帯情報端末（ＰＤＡ）、あるいはスマートフォンなどを適宜に利用できる。通信ネットワーク２０３としては、インターネット、プライベートネットワーク、次世代ネットワーク（ＮＧＮ）、あるいはモバイルネットワークなどを適宜に利用できる。
【００２８】
この画像表示システム２００において、当該画像表示装置が持つ機能や構成のうち、少なくとも１つをサーバ２０４に設け、そのサーバ２０４に設けない残りの機能や構成を端末２０２に設ける。サーバ２０４に設ける機能や構成は、１つのサーバ２０４に配置してもよいし、複数のサーバ２０４に分散して配置してもよい。
【００２９】
その他、上記実施形態および変形例は、例として提示したものであり、発明の範囲を限定することは意図していない。この新規な実施形態および変形例は、その他の様々な形態で実施されることが可能であり、発明の要旨を逸脱しない範囲で、種々の省略、書き換え、変更を行うことができる。これら実施形態や変形は、発明の範囲は要旨に含まれるとともに、特許請求の範囲に記載された発明とその均等の範囲に含まれる。
以下に、本願の当初の特許請求の範囲に記載された発明を付記する。
［１］  表示手段と、
商品を表わす商品画像を記憶した記憶手段と、
前記記憶手段内の商品画像を前記表示手段の表示画面上に縦横に配列して表示し、その配列中のいくつかの商品画像の表示色または表示濃度を同配列中の残りの商品画像と異ならせて前記商品に関する宣伝用の表示パターンを形成する制御手段と、
を備えることを特徴とする画像表示装置。
［２］  前記記憶手段は、複数の商品を表わす複数の商品画像を記憶し、
前記制御手段は、前記記憶手段内の各商品画像のうち、広告する商品に対応する商品画像を抽出し、抽出した商品画像を前記表示手段の表示画面上に縦横に配列して表示し、その配列中のいくつかの商品画像の表示色または表示濃度を同配列中の残りの商品画像と異ならせて前記広告する商品に関する宣伝用の表示パターンを形成する、
ことを特徴とする［１］に記載の画像表示装置。
［３］  前記記憶手段は、前記商品に関する案内文字を記憶している、
前記制御手段は、前記表示手段の表示画面上の予め定めた位置または一定時間ごとに異なる位置に、前記記憶手段内の案内文字を表示する、
ことを特徴とする［１］または［２］に記載の画像表示装置。
［４］  前記制御手段は、前記ディスプレイの表示画面上の予め定めた位置または一定時間ごとに異なる位置に、かつ前記配列中の各商品画像のうち前記表示パターンの表示対象となる商品画像が透過する状態に、前記記憶手段内の案内文字を表示する、
ことを特徴とする［３］に記載の画像表示装置。
［５］  表示手段およびコンピュータを含む画像表示装置において、
前記コンピュータに、
商品を表わす商品画像を記憶する記憶機能と、
前記記憶した商品画像を前記表示手段の表示画面上に縦横に配列して表示し、その配列中のいくつかの商品画像の表示色または表示濃度を同配列中の残りの商品画像と異ならせて前記商品に関する宣伝用の表示パターンを形成する制御機能と、
を実現させることを特徴とするプログラム。
［６］  画像表示装置およびサーバを含む画像表示システムであって、
商品を表わす商品画像を記憶する記憶手段と、
前記記憶した商品画像を前記画像表示装置の表示画面上に縦横に配列して表示し、その配列中のいくつかの商品画像の表示色または表示濃度を同配列中の残りの商品画像と異ならせて前記商品に関する宣伝用の表示パターンを形成する制御手段と、
を備え、前記各手段の少なくとも１つの手段を前記サーバが含み、そのサーバが含む手段を除く残りの手段を前記画像表示装置が含むことを特徴とする画像表示システム。
【符号の説明】
【００３０】
１…制御部、２…ハードディスクドライブ（記憶手段）、３…ＲＯＭ、４…ＲＡＭ、５…データ入力部、６…操作部、７…ディスプレイ（表示手段）、Ｄ１，Ｄ２，…Ｄｎ……商品画像データ、Ｈ１，Ｈ２，…Ｈｎ……表示条件データ、Ｍ１，Ｍ２，…Ｍｎ……案内文字データ
【図１】
0005798931.tif 000002
【図２】
0005798931.tif 000003
【図３】
0005798931.tif 000004
【図４】
0005798931.tif 000005
【図５】
0005798931.tif 000006
【図６】
0005798931.tif 000007
【図７】
0005798931.tif 000008